(57)【要約】      （修正有）【課題】ディスプレ装置の鮮明度低下を防止する。【解決手段】映像の代表カラーを判断し、上記判断された代表カラーでエッジのカラーを遷移させるアーチファクト低減部、上記映像の高域成分をフィルタリングするフィルタ部、および上記エッジのカラーが遷移された映像および上記フィルタリングされた高域成分をとおし、上記映像の鮮明度を向上させる鮮明度向上部を含む。【選択図】図２
2008148316.tif 000002
【特許請求の範囲】
【請求項１】
映像の代表カラーを判断し、上記判断された代表カラーからエッジのカラーを遷移させるアーチファクト低減部と、
上記映像の高域成分をフィルタリングするフィルタ部、および
上記エッジのカラーが遷移された映像、および上記フィルタリングされた高域成分をとおし、上記映像の鮮明度を向上させる鮮明度向上部を含む映像の鮮明度向上のための装置。
【請求項２】
上記アーチファクト低減部は、上記映像の各ブロック単位で代表カラーを抽出する代表カラー成分抽出部と、
上記抽出された代表カラーの対比を向上させる対比向上部、および
上記対比が向上された代表カラーから上記エッジ成分のカラーを遷移させるカラー遷移部を含む、請求項１に記載の映像の鮮明度向上のための装置。
【請求項３】
上記代表カラー抽出部は、上記映像の所定ブロック内で上記映像のＲ、Ｇ、Ｂ成分に対する輝度値を求めた後、最小および最大輝度値を有する画素のＲ、Ｇ、Ｂ値の組を上記初期代表カラーに抽出する、請求項２に記載の映像の鮮明度向上のための装置。
【請求項４】
上記対比向上部は、上記一組の初期代表カラー間の距離と上記一組の代表カラーのうち何か一つの代表カラーおよび上記ブロック内の所定画素間の距離の内積を利用し、上記初期代表カラーを更新する、請求項３に記載の映像の鮮明度向上のための装置。
【請求項５】
上記対比向上部は、上記初期代表カラーに対し、事前に指定された臨界値内で上記対比を向上させる、請求項４に記載の映像の鮮明度向上のための装置。
【請求項６】
上記カラー遷移部は、上記対比向上部によって更新され、求められる最終代表カラーとエッジの所定画素との隣接度およびエッジ強度を測定し、上記エッジの所定画素のカラーを遷移させる、請求項５に記載の映像の鮮明度向上のための装置。
【請求項７】
上記エッジ強度は、上記一組の最終代表カラー間の距離と上記映像の各ブロックでの最終代表カラー間の距離の合から求められる、請求項６に記載の映像の鮮明度向上のための装置。
【請求項８】
上記隣接度は、上記エッジの所定画素と上記各最終代表カラー間の距離の比によって求められる、請求項６に記載の映像の鮮明度向上のための装置。
【請求項９】
上記カラー遷移部は、上記隣接度および上記エッジ強度から遷移程度を求め、上記遷移程度によって上記エッジの所定画素に対するカラーを遷移させる、請求項６に記載の映像の鮮明度向上のための装置。
【請求項１０】
上記鮮明度向上部は、上記フィルタ部によってフィルタリングされた高域成分を上記エッジのカラーが遷移された映像に付加する、請求項１に記載の映像の鮮明度向上のための装置。
【請求項１１】
上記鮮明度向上部は、所定ブロック内で代表カラー間の大きいほど強いエッジを有するブロックと判断し、高域成分のゲインを減らし、そうではない場合、上記高域成分のゲインを増加させる、請求項１０に記載の映像の鮮明度向上のための装置。
【請求項１２】
上記鮮明度向上部は、上記映像のグレーバランスのためのグレー検出部をさらに含む、請求項１０に記載の映像の鮮明度向上のための装置。
【請求項１３】
映像の代表カラーを判断し、上記判断された代表カラーでエッジのカラーを遷移させる段階と、
上記映像の高域成分をフィルタリングする段階、および
上記エッジのカラーが遷移された映像および上記フィルタリングされた高域成分をとおし、上記映像の鮮明度を向上させる段階を含む映像の鮮明度向上のための方法。
【請求項１４】
上記エッジのカラーを遷移させる段階は、上記映像の各ブロック単位で代表カラーを抽出する段階と、
上記抽出された代表カラーの対比を向上させる段階、および
上記対比が向上された代表カラーで上記エッジ成分のカラーを遷移させる段階を含む、請求項１３に記載の映像の鮮明度向上のための方法。
【請求項１５】
上記代表カラーを抽出する段階は、上記映像の所定ブロック内で上記映像のＲ、Ｇ、Ｂ成分に対する輝度値を求めた後、最小および最大輝度値を有する画素のＲ、Ｇ、Ｂ値の組を上記初期代表カラーで抽出する段階を含む、請求項１４に記載の映像の鮮明度向上のための方法。
【請求項１６】
上記対比を向上させる段階は、上記一組の初期代表カラー間の距離と上記一組の代表カラーのうち何か一つの代表カラーおよび上記ブロック内の所定画素間の距離の内積を利用し、上記初期代表カラーを更新する段階を含む、請求項１５に記載の映像の鮮明度向上のための方法。
【請求項１７】
上記対比を向上させる段階は、上記初期代表カラーに対し、事前に指定された臨界値内で上記対比を向上させる段階を含む、請求項１６に記載の映像の鮮明度向上のための方法。
【請求項１８】
上記カラーを遷移させる段階は、上記対比が更新され、求められる最終代表カラーとエッジの所定画素との隣接度およびエッジ強度を測定し、上記エッジの所定画素のカラーを遷移させる段階を含む、請求項１７に記載の映像の鮮明度向上のための方法。
【請求項１９】
上記エッジ強度は、上記一組の最終代表カラー間の距離と上記映像の各ブロックでの最終代表カラー間の距離の合から求められる、請求項１８に記載の映像の鮮明度向上のための方法。
【請求項２０】
上記隣接度は、上記エッジの所定画素と上記各最終代表カラー間の距離の比によって求められる、請求項１８に記載の映像の鮮明度向上のための方法。
【請求項２１】
上記カラーを遷移させる段階は、上記隣接度および上記エッジ強度から遷移程度を求め、上記遷移程度によって上記エッジの所定画素に対するカラーを遷移させる段階を含む、請求項１８に記載の映像の鮮明度向上のための方法。
【請求項２２】
上記鮮明度を向上させる段階は、上記フィルタリングされた高域成分を上記エッジのカラーが遷移された映像に付加する段階を含む、請求項１３に記載の映像の鮮明度向上のための方法。
【請求項２３】
上記鮮明度を向上させる段階は、所定ブロック内で代表カラー間の大きいほど強いエッジを有するブロックと判断して高域成分のゲインを減らし、そうではない場合、上記高域成分のゲインを増加させる段階を含む、請求項２２に記載の映像の鮮明度向上のための方法。
【請求項２４】
上記鮮明度を向上させる段階は、上記映像のグレーバランスを遂行する段階をさらに含む、請求項２２に記載の映像の鮮明度向上のための方法。
【発明の詳細な説明】
【技術分野】
【０００１】
本発明は、映像の鮮明度向上のための装置および方法に関するものであって、さらに詳細にコントラスト特性が落ちることによって発生されるディスプレ装置の鮮明度低下を防止することができる映像の鮮明度向上のための装置および方法に関するものである。
【背景技術】
【０００２】
最近新素材ディスプレ装置の開発と共に映像の画質を向上させるための装置およびソフトウェアの開発が並行されている。このような映像の画質で人間の視覚による画質認識に最も大きい影響を与える要因は鮮明度である。
【０００３】
既存のＣＲＴディスプレ装置を代替するため、開発された代表的なディスプレ装置であるＰＤＰ、ＬＣＤ、プロジェクションテレビの場合、厚さが薄く、軽量であり、大型画面具現が可能であるが、映像雑音、ブラーリング、入力信号の帯域幅制限などによって出力映像信号の細密さと鮮明度が低下される場合が頻繁に発生する。
【０００４】
図１は、従来の技術による映像の鮮明度を向上させるための装置が図示された図面である。
図示されたように、従来の技術による映像の鮮明度を向上させるための装置１０は、入力映像信号から現在ピクセルを基準に所定大きさのウインドウを設定し、ウインドウ内のピクセル値に基づいて、最大傾斜値を算出する最大傾斜値算出部１１、最大傾斜値の大きさに対比される所定限界値を算出する限界値算出部１２、算出された限界値と入力映像信号の隣接ピクセル間のピクセル差を基礎とし、現在のピクセルと隣接したピクセル間の拡散量を算出する拡散量算出部１３および算出された拡散量と既設定された所定ゲイン値をかけた値を現在ピクセル値に合算し、出力するピクセル値変換部１４を含む。
【０００５】
このような従来の技術による映像の鮮明度を向上させるための装置１０は、入力映像信号のＹ信号と周辺画素のＹ値の最大傾斜角を求めた後、最大傾斜角を基準に限界値を計算し、周辺画素間差分を、ゲイン調節をとおし、拡散させ、入力映像信号のＹ信号を変更する技法でシュートアーチファクトの除去は可能であるが、エッジ大きさに比例し、入力映像信号のＹ信号値を変更するため、その値が小さいエッジ成分に対しては効率的にシュートアーチファクトを除去することができず、他の鮮明度向上過程で発生され得るリンギング（Ｒｉｎｇｉｎｇ）アーチファクトは効率的に除去することができない問題点がある。
【０００６】
特許文献１は、入力される映像信号を輝度信号と色差信号に分離する複号部と、複号部に出力された信号中色差信号の大きさを検出し、検出された色差信号の大きさが基準値以下であれば、色差信号を除去する鮮明化処理部を含む画質改善装置を開示しているが、まだ入力信号の輝度信号を使用するため、カラー色空間の変換が必要であり、小さいエッジ成分に対しては効率的にシュートアーチファクトを除去することができ、他の鮮明度過程で発生し得るリンギングアーチファクトは効率的に除去することができないという問題点がある。
【特許文献１】大韓民国公開特許第２００１−０８４０１５号公報
【発明の開示】
【発明が解決しようとする課題】
【０００７】
本発明はＲＧＢ色空間を利用しつつも、画質劣化要因を除去するため、映像の代表カラーを基準に適応的に映像のＲＧＢを変換する映像の鮮明度向上のための装置および方法を提供することを目的とする。
【０００８】
本発明の目的は、以上で言及した目的に制限されず、言及されていないさらなる目的は下の記載より当業者に明確に理解されるものである。
【課題を解決するための手段】
【０００９】
上記目的を達成するため、本発明の実施形態による映像の鮮明度向上のための装置は、映像の代表カラーを判断し、上記判断された代表カラーでエッジのカラーを遷移させるアーチファクト低減部、上記映像の高域成分をフィルタリングするフィルタ部および上記エッジのカラーが遷移された映像および上記フィルタリングされた高域成分をとおし、上記映像の鮮明度を向上させる鮮明度向上部を含む。
【００１０】
また、上記目的を達成するため、本発明の実施形態による映像の鮮明度向上のための方法は、映像の代表カラーを判断し、上記判断された代表カラーでエッジのカラーを遷移させる段階、上記映像の高域成分をフィルタリングする段階および上記エッジのカラーが遷移された映像および上記フィルタリングされた高域成分をとおし、上記映像の鮮明度を向上させる段階を含む。
【発明の効果】
【００１１】
上記たように、本発明の映像の鮮明度向上のための装置および方法によると、色空間の変換なしにＲ、Ｇ、Ｂ色空間を利用しながらも、ブロックの代表カラーをとおし、適応的にＲ、Ｇ、Ｂ値を変更し、シュプおよびリンギングアーチファクトを除去することができ、コントラスト特性が相対的に落ちるディスプレ装置で効率的に鮮明度を向上させ得る効果がある。
【発明を実施するための最良の形態】
【００１２】
その他実施形態の具体的な事項は詳細な説明および図面に含まれている。
【００１３】
本発明の利点および特徴、そして、それらを達成する方法は添付される図面と共に詳細に後述されている実施形態を参照すると、明確になる。しかし、発明は以下で開示される実施形態に限定されるものではなく、互い異なる多様な形態に具現され得、単に本実施形態は本発明の開始が完全にし、本発明が属する技術分野で通常の知識を有する者に発明の範疇を完全に知らせるため、提供されるものであり、本発明は請求項の範疇によってのみ定義される。明細書全体にかけ、同一参照符号は同一構成要素を指称する。
【００１４】
以下、本発明の実施形態によって、映像の鮮明度向上のための装置および方法を説明するためのブロック図あるいは、処理フローチャートに対する図面を参考にし、本発明に対して説明する。この時、処理フローチャート図面の各ブロックとフローチャート図面の組み合わせはコンピュータプログラムインストラクションによって、遂行され得ることが理解できるものである。これらコンピュータプログラムインストラクションは汎用コンピュータ、特殊用コンピュータあるいはその他プログラム可能なデータプロセシング装備のプロセッサに搭載されるため、コンピュータあるいはその他プログラム可能なデータプロセシング装備のプロセッサをとおし、遂行されるそのインストラクションがフローチャートブロックで説明された機能を遂行する手段を生成するようになる。これらコンピュータプログラムインストラクションは、特定方式で機能を具現するため、コンピュータあるいはその他プログラム可能なデータプロセシング装備を指向し得るコンピュータ利用可能あるいはコンピュータ判読可能メモリに保存されることも可能であるため、そのコンピュータ利用可能あるいはコンピュータ判読可能メモリに保存されたインストラクションはフローチャートブロックで説明された機能を遂行するインストラクション手段を内包する製造品目を生産することも可能である。コンピュータプログラムインストラクションはコンピュータあるいはその他プログラム可能なデータプロセシング装備上に搭載されることも可能であるため、コンピュータあるいはその他プログラム可能なデータプロセシング装備上で一連の動作段階が遂行され、コンピュータで実行されるプロセスを生成し、コンピュータあるいはその他プログラム可能なデータプロセシング装備を遂行するインストラクションはフローチャートブロックで説明された機能を実行するための段階を提供することも可能である。
【００１５】
また、各ブロックは特定された論理的機能を実行するための一つ以上の実行可能なインストラクションを含むモジュール、セグメントあるいはコードの一部を示すことができる。また、いくつかの代替実施形態ではブロックで言及された機能が順序から外れ、発生することも可能であることも注目しなければならない。例えば、相次いで図示されている二つのブロックは事実実質的に同時に遂行されることも可能であり、あるいはそのブロックが時々該当する機能によって逆順に遂行されることも可能である。
【００１６】
図２は、本発明の実施形態による映像の鮮明度向上のための装置が図示された図面である。
図示されたように、本発明の実施形態による映像の鮮明度向上のための装置１００は、アーチファクト低減部１１０、フィルタ部１２０および鮮明度向上部１３０を含み得る。
【００１７】
アーチファクト低減部１１０は、入力映像からエッジの画素のカラーを隣接したカラーの３次元空間方向に遷移させることができる。このため、アーチファクト低減部１１０は、図３のように映像からブロック単位で代表カラーを抽出する代表カラー抽出部１１１、抽出された代表カラーの対比を向上させる対比向上部１１２および対比が向上した代表カラーでエッジ画素のカラーを遷移させるカラー遷移部１１３を含み得る。
【００１８】
代表カラー抽出部１１１は、入力された映像のＲ、Ｇ、Ｂに対する輝度値を求めた後、該当ブロック内で最小および最大輝度値を有する画素のＲ、Ｇ、Ｂ値の組を初期代表カラーで抽出することができる。この時、代表カラー抽出部１１１は一般的にＫ−ｍｅａｎｓアルゴリズムを基盤に初期代表カラーを抽出するようになり、初期代表カラーを基盤にブロックの画素情報を利用してＫ−ｍｅａｎｓアルゴリズムを適用し、初期代表カラーを更新するのに一般的にＫ−ｍｅａｎｓアルゴリズムを利用した初期代表カラー更新過程では反復演算をとおし、最終代表カラーを抽出するようになるが、本発明の実施形態では反復演算の回数をハードウェア具現のため、１回に制限した場合の例をあげて、説明することとする。
【００１９】
したがって、代表カラー抽出部１１１は反復演算回数の制限によって図４のように、実際ブロック内のエッジと抽出されたエッジ間の誤差が発生するようになる。この時、対比向上部１１２は抽出された初期代表カラー間の対比を向上させ、反復演算回数の制限によって発生する誤差を補償することができる。この時、抽出されたエッジは前述した代表カラー抽出部１１１から抽出された一組の初期代表カラーとして理解され得る。
【００２０】
具体的に、対比向上部１１２は図５のように、２次元平面上に示した所定ブロックのカラー分布２１０で代表カラー抽出部１１１によって抽出された一組の初期代表カラーの対比を向上させるようになる。この時、本発明の実施形態で代表カラー抽出部１１１によって抽出された一組の初期代表カラーを各々「代表カラー０」および「代表カラー１」と称することとする。また、図５で代表カラー０および代表カラー１を中心に形成された円２２１，２２２は、過度な対比増加を防止するため、事前に指定された臨界値に対する領域を示す。
【００２１】
このような対比向上部１１２によって代表カラーの対比向上過程は、式（１）によって求められる代表カラー０および代表カラー１のうち何か一つの代表カラーと該当ブロック内の所定画素間の距離と代表カラー０および代表カラー１間の距離の内積から代表カラー抽出部１１１によって抽出された一組の代表カラーに対する対比を向上させることができる。
【００２２】
【数１】
2008148316.tif 000003
この時、式（１）は図６のように、代表カラー０とブロック内に存在する所定の画素Ａおよび画素Ｂ中画素Ｂを例え、説明した場合として理解され得る。式（１）でＤｉｓｔは代表カラー０および代表カラー１間の距離を意味し、（Ｒｒｅｐ０、Ｇｒｅｐ０、Ｂｒｅｐ０）および（Ｒｒｅｐ１、Ｇｒｅｐ１、Ｂｒｅｐ１）は各々代表カラー０および代表カラー１を意味し、（Ｒｂ、Ｇｂ、Ｂｂ）は画素Ｂのカラーを意味する。もちろん、画素Ａに対しても同一に適用される。
【００２３】
対比向上部１１２は、画素のカラーが過度な対比増加防止のための臨界値に対する領域内にあり、内積が負数である場合、代表カラー更新のための候補カラーに選定し、代表カラー抽出部１１１から抽出された初期代表カラーの更新に使用される。この時、過度な対比増加防止のための臨界値に対する領域は式（２）によって求められる。
【００２４】
【数２】
2008148316.tif 000004
この時、式（２）でＬｉｍｉｔ−Ｄｉｓｔは過度な対比増加防止のための臨界値を意味し、（Ｒｒｅｐ０、Ｇｒｅｐ０、Ｂｒｅｐ０）および（Ｒｒｅｐ１、Ｇｒｅｐ１、Ｂｒｅｐ１）は各々代表カラー０および代表カラー１を意味し、ｋは正数を意味する。
【００２５】
一方、対比向上部１１２は、ブロック内全ての画素に対し、前述した式（１）および式（２）を適用し、最終的に対比が向上された代表カラーを求めるが、カラー遷移部１１３は求めた一組の最終代表カラーとエッジの所定画素との隣接度を測定し、適応的にエッジ画素のカラーを遷移させ、アーチファクトを除去することができる。この時、カラー遷移部１１３が一組の最終代表カラーを利用し、カラーを遷移するためにはエッジの強度を測定し、一組の最終代表カラー間の隣接度の測定が必要となる。
【００２６】
エッジの強度は式（３）および式（４）のように一組の最終代表カラー間の距離と映像内の各ブロックでの代表カラー間の距離の合から求めることができる。
【００２７】
【数３】
2008148316.tif 000005
この時、式（３）でＲｅｐ＿Ｄｉｓｔは現在ブロックでの一組の最終代表カラー間の距離であり、式（４）でＴｏｔａｌＤｉｓｔは映像内の各ブロックで一組の代表カラー間の距離の合を意味する。
【００２８】
したがって、エッジ強度は式（５）のように、Ｒｅｐ＿ＤｉｓｔおよびＴｏｔａｌＤｉｓｔの比から求めることができ、式（５）でｋは定数である。
【００２９】
エッジ強度＝（Ｒｅｐ＿Ｄｉｓｔ／ＴｏｔａｌＤｉｓｔ）  Ｘ  ｋ        （５）
一方、隣接度は式（６）のように、各代表カラーと現在画素の入力カラー間の距離によって求めることができる。
【００３０】
【数４】
2008148316.tif 000006
この時、式（６）でＤｉｓｔ０は代表カラー０との距離であり、Ｄｉｓｔ１は代表カラー１との距離である。したがって、隣接度は隣接度＝Ｄｉｓｔ０／Ｄｉｓｔ１から求めることができ、０ないし１間の値を有する。
【００３１】
カラー遷移部１１３による遷移程度は、式（７）のように、隣接度、エッジ強度から求めることができ、式（７）でＲｉ＿ｍｏｄ、Ｇｉ＿ｍｏｄ、Ｂｉ＿ｍｏｄは遷移強度を意味する。
【００３２】
【数５】
2008148316.tif 000007
一方、鮮明度向上部１３０は、フィルタ部１２０によってフィルタリングされた高域帯域をとおし、アーチファクト低減部１１０によって画質劣化条件が除去された映像の鮮明度を向上させることができる。この時、本発明の実施形態でフィルタ部１２０は２次元空間フィルタであって、図７のようなｓｉｇｎ  ｉｎｖｅｒｔｅｄ  ｇａｕｓｓｉａｎが使用された場合を例え、説明することとする。また、鮮明度向上部１３０は、アンシャープマスキング技法を通し、鮮明度を向上させる場合を例え、説明することとする。この時、高域成分に対するゲインの（ｇａｉｎ）調節は図８のように一組の最終代表カラー間の距離を変数とし、線形化された直線直選使用した場合を例え、説明することとする。
【００３３】
言い換えると、鮮明度向上部１３０は、一組の最終代表カラー間の距離が大きいほど強いエッジを有したブロックに判断し、鮮明度向上のための高域成分のゲインを減らすようになり、一組の最終代表カラー間の距離が小さいほど鮮明度向上の極大化のため、ゲインを増加させるようになる。この時、図９でＲＨＰＦ，  ＧＨＰＦ，  ＢＨＰＦはフィルタ部１２０によってフィルタリングされた高域成分を意味し、ゲイン（Ｇａｉｎ）は一組の最終代表カラー間の距離を利用し、計算された高域成分ゲインを意味し、Ｇａｉｎ＿ＨｉｇｈおよびＧａｉｎ＿Ｌｏｗはゲイン（Ｇａｉｎ）に各々該当定数であるｋ０およびｋ１をかけたことと理解され得る。この時、ｋ０およびｋ１はｋ０  ＞  ｋ１の関係を有する。
【００３４】
また、鮮明度向上部１３０は、一組の代表カラー距離による高域成分のゲイン調節は大部分の実際映像のグレー成分のテキストおよび境界周囲でグレーバランスが取れず、色成分が境界周囲に存在する場合、これを除去するため、式（８）を満足する場合、グレー成分であると判断し、一組の最終代表カラー間の距離が短くても本来ゲインより低い値をかけ、グレーバランスを維持するためのグレー検出部１３１を含み得る。
【００３５】
【数６】
2008148316.tif 000008
式（８）でＲｉ、Ｇｉ、Ｂｉは入力映像のＲ、Ｇ、Ｂ成分を意味し、ＴＨは所定の基準値を意味する。この時、ＴＨはディスプレ装置の規格、使用環境などによって変更され得、グレー成分が存在する場合はＧｒａｙ＝１であり、グレー成分が存在しない場合はＧｒａｙ＝０として理解され得る。
【００３６】
図１０は、本発明の実施形態による映像の鮮明度向上のための方法が図示された図面である。
図示されたように、本発明の実施形態に他の映像の鮮明度向上のための方法は、まず、代表カラー抽出部１１１から入力映像の各ブロックに対する初期代表カラーを抽出する（Ｓ１１０）。この時、代表カラー抽出部１１１によって抽出される初期代表カラーは各ブロック単位で一組が抽出され得、抽出される一組の初期代表カラーは所定ブロックで最小および最大輝度値を有する画素のＲ、Ｇ、Ｂ値として理解され得る。
【００３７】
この時、本発明の実施形態では代表カラー抽出部１１１で一組の初期代表カラーを抽出する時、Ｋ−ｍｅａｎｓアルゴリズムを基盤に抽出するようになり、反復演算の回数をハードウェア具現のため、１回に制限した場合を例え、説明しているので、実際ブロック内でエッジと抽出された初期代表カラーによるエッジ間の誤差が発生するようになる。
【００３８】
したがって、対比向上部１１２が代表カラー抽出部１１１によって抽出された一組の初期代表カラーの対比を向上させるようになる（Ｓ１２０）。この時、抽出された一組の初期代表カラーの対比過程は、映像内の全てのブロックに対し、前述した式（１）および式（２）を適用し、最終的に対比が向上した代表カラーを求めることができる。
【００３９】
カラー遷移部１１３は、対比向上部１１２により求めた一組の最終代表カラーとエッジの所定画素との隣接度を測定し、適応的にエッジ画素のカラーを遷移させるようになる（Ｓ１３０）。このようなカラー遷移をとおし、アーチファクトを除去することができ、カラー遷移のためには式（３）ないし（６）によって求めることができるエッジ強度と隣接度によって成され得る。また、カラー遷移部１１３は求めたエッジ強度と隣接度をとおし、遷移程度を求めることができ、前述した式（７）によって遷移強度を求めることができる。したがって、カラー遷移部１１３は求めた遷移強度によってエッジ画素のカラーを遷移させることができる。
【００４０】
カラー遷移部１１３によってエッジのカラーが遷移される場合、画質劣化要因を除去すると、鮮明度向上部１３０はフィルタ部１２０によってフィルタリングされた高域成分をとおし、映像の鮮明度を向上させるようになる（Ｓ１４０）。具体的に、二つの代表カラー間の距離が大きいほど強いエッジを有するブロックと見なし、鮮明度向上のための高域成分の加算値を減らすようになり、二つの代表カラー間の距離が小さいほど鮮明度向上の極大化のために高域成分の加算値を増加させるようになるものである。
【００４１】
鮮明度向上部１３０によって映像の鮮明度が向上された後、グレー成分のテキストおよび境界周囲でのグレーバランスが取れず、色成分が境界周囲に挟まる現象を防止するため、グレー検出部１３１がグレーバランスを遂行するようになる（Ｓ１５０）。この時、グレーバランスは前述した式（８）の条件によって遂行される。
【００４２】
このように、前述した図１０の映像の鮮明度向上のための方法によって、鮮明度が向上する映像を図１１ないし図１４をとおし、詳細に察し見る。
【００４３】
まず、図１１のように、映像にはオブジェクト３１０とバックグラウンド３２０が存在するようになり、オブジェクト周囲にはブラーリングされたエッジ３１２が存在するようになり、実際エッジ３１１と差が発生するようになる。
【００４４】
この時、本発明の実施形態による映像の鮮明度向上のための装置１００は前述した図１１で所定ブロック３３０に対し、一組の初期代表カラーを抽出するようになる。言い換えると、図１２のように、該当ブロック３３０で一組の初期代表カラーとして、オブジェクトカラー３１０およびバックグラウンドのカラー３２０を抽出することができるものである。この時、図１２でオブジェクト３１０のカラーを代表カラー０とし、バックグラウンド３２０のカラーを代表カラー１とする場合を例えると、カラー遷移部１１３によってエッジのカラーが二つの代表カラーのうち何か一つの代表カラーに遷移されるものである。このようにエッジのカラーが遷移された場合、図１４のようにエッジのカラーが遷移され、リンギングおよびシュートアーチファクトが除去され得、鮮明度向上部１３０はフィルタ部１２０によってフィルタリングされた高域成分を利用し、図１５のように鮮明度を向上させ得るものである。
【００４５】
本発明の実施形態で使用された用語中‘部’はソフトウェアあるいはＦｉｅｌｄ  Ｐｒｏｇｒａｍｍａｂｌｅ  Ｇａｔｅ  Ａｒｒａｙ（ＦＰＧＡ）あるいは注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）のようなハードウェア構成要素を意味し、部はある役割らを遂行する。しかし、部はソフトウェアあるいはハードウェアに限定される意味ではない。部はアドレッシングすることができる保存媒体にあるように構成されることもあり、一つあるいはそれ以上のプロセッサを実行させるように構成されることもある。したがって、実施形態として部はソフトウェア構成要素、客体指向ソフトウェア構成要素、クラス構成要素およびタスク構成要素のような構成要素と、プロセス、関数、属性、プロスィージャ、サブルーチン、プログラムコードのセグメント、ドライバ、ファームウェア、マイクロコード、回路、データ、データベース、データ構造、テーブル、アレイ、および変化の要素らを含む。構成要素と部から提供される機能はさらに小さい数の構成要素および部に結合されるか追加的な構成要素と部にさらに分離され得る。
【００４６】
以上のように本発明による映像の鮮明度向上のための装置および方法を例示された図面を参照し、説明したが、本明細書に開示された実施形態と図面によって本発明は限定されず、その発明の技術思想範囲内で当業者によって多様な変形され得ることが当然である。
【図面の簡単な説明】
【００４７】
【図１】従来の技術による映像の鮮明度向上のための装置が図示されたブロック図である。
【図２】本発明の実施形態による映像の鮮明度向上のための装置が図示されたブロック図である。
【図３】本発明の実施形態によるアーチファクト低減部が図示されたブロック図である。
【図４】本発明の実施形態による実際エッジおよび抽出エッジが図示されたグラフである。
【図５】本発明の実施形態によるカラー分布が図示されたグラフである。
【図６】本発明の実施形態による代表カラー更新のための内積が図示されたグラフである。
【図７】本発明の実施形態によるフィルタ部で使用される関数が図示されたグラフである。
【図８】本発明の実施形態による代表カラー間の距離によるゲインが図示されたグラフである。
【図９】本発明の実施形態による鮮明度向上部が図示されたブロック図である。
【図１０】本発明の実施形態による映像の鮮明度向上のための方法が図示された順序図である。
【図１１】本発明の実施形態による映像の鮮明度向上過程が図示された概略図である。
【図１２】本発明の実施形態による映像の鮮明度向上過程が図示された概略図である。
【図１３】本発明の実施形態による映像の鮮明度向上過程が図示された概略図である。
【図１４】本発明の実施形態による映像の鮮明度向上過程が図示された概略図である。
【符号の説明】
【００４８】
１１０      アーチファクト低減部
１２０      フィルタ部
１３０      鮮明度向上部
【図１】
2008148316.tif 000009
【図２】
2008148316.tif 000010
【図３】
2008148316.tif 000011
【図４】
2008148316.tif 000012
【図５】
2008148316.tif 000013
【図６】
2008148316.tif 000014
【図７】
2008148316.tif 000015
【図８】
2008148316.tif 000016
【図９】
2008148316.tif 000017
【図１０】
2008148316.tif 000018
【図１１】
2008148316.tif 000019
【図１２】
2008148316.tif 000020
【図１３】
2008148316.tif 000021
【図１４】
2008148316.tif 000022